(57)【要約】【課題】  簡単な構造で、表示部の高さや角度を調整した使用状態における外観上の美観が損なわれず、ＴＶ等の映像の視聴の際にも通常のＴＶ装置と違和感のない携帯型電子機器を提供する。【解決手段】  本体部１００と、表示ユニット２１０を内臓し本体部を覆う蓋部２００と、一端が本体部の後端部に回動可能に軸支されると共に、他端が蓋部２００の背部に回動可能に軸支された、伸縮自在なアーム部３００とを備えている。そして、携帯型電子機器の本体部１００は、その前端側上部に蓋部２００の下縁部を係止する係止手段１２０を備えている。【選択図】  図１２
2005209156.tif 000002
【特許請求の範囲】
【請求項１】
本体部と、
表示ユニットが嵌め込まれ前記本体部を覆う蓋部と、
一端が前記本体部の後端部に回動可能に軸支されると共に、前記蓋部を回動可能且つ高さ位置調整可能に支持するアーム部と、
を備えることを特徴とする携帯型電子機器。
【請求項２】
前記アーム部は伸縮自在であることを特徴とする請求項１に記載の携帯型電子機器。
【請求項３】
前記本体部は、その前端側上部に前記蓋部の下縁部を係止する係止手段を備えることを特徴とする請求項２に記載の携帯型電子機器。
【請求項４】
前記アーム部は、前記蓋部が前記本体部を覆うとき、両者を平行にするための逃げ部を有することを特徴とする請求項２に記載の携帯型電子機器。
【請求項５】
前記アーム部は、スライド機構とアーム部の伸長方向へは弱抵抗で短縮方向へは制動する一方向制動機構とを有することを特徴とする請求項２に記載の携帯型電子機器。
【請求項６】
前記アーム部は、前記本体部と前記表示ユニットとを接続するケーブルを収容すると共に、該ケーブルの巻上げ機構を有することを特徴とする請求項５に記載の携帯型電子機器。
【請求項７】
前記アーム部は、前記本体部側の第１アーム部と前記蓋部側の第２アーム部とからなり、前記スライド機構は、第１アーム部と第２アーム部とのいずれか一方に取付けられたラックと、第１アーム部と第２アーム部とのいずれか他方に回転可能に取付けられ、該ラックに噛合うピニオンとを備え、前記アーム部の伸長方向へは弱抵抗で短縮方向へは制動する一方向制動機構が該ピニオンによって駆動されることを特徴とする請求項５に記載の携帯型電子機器。
【請求項８】
前記ケーブルの巻上げ機構が、前記ピニオンによって駆動されることを特徴とする請求項７に記載の携帯型電子機器。
【請求項９】
前記スライド機構が、電動モータにより駆動されることを特徴とする請求項５に記載の携帯型電子機器。
【請求項１０】
前記蓋部の下縁部が前記係止手段により係止された際に作動する切替えスイッチを有することを特徴とする請求項３に記載の携帯型電子機器。
【請求項１１】
前記蓋部は背部に形成された略矩形状のポケットを有し、前記伸縮自在なアーム部は前記本体部側の第１アーム部と前記蓋部側の第２アーム部とからなり、該第１アーム部が第２アーム部内に入れ子式に収容可能であり、且つ、該第２アーム部が前記ポケットに収容可能であることを特徴とする請求項２に記載の携帯型電子機器。
【請求項１２】
前記本体部は、その前端側上部に前記蓋部の下縁部を係止する係止手段を備えることを特徴とする請求項１１に記載の携帯型電子機器。
【請求項１３】
前記係止手段は、前記本体部の前端側上部の両側に形成されたスロット内に所定角度回動可能に設けられ、端部にボールソケットを有する係止金具からなり、前記蓋部の下縁部に形成されたスロット内に設けられたディテントボールが該ボールソケットに係合可能であることを特徴とする請求項１２に記載の携帯型電子機器。
【請求項１４】
前記アーム部は、その他端が前記蓋部の背部に摺動可能に設けられたスライド機構を介して回動可能に軸支されていることを特徴とする請求項１に記載の携帯型電子機器。
【請求項１５】
前記本体部は、その前端側上部に前記蓋部の下縁部を係止する係止手段を備えることを特徴とする請求項１４に記載の携帯型電子機器。
【請求項１６】
前記アーム部は、前記蓋部が前記本体部を覆うとき、両者を平行にするための逃げ部を有することを特徴とする請求項１５に記載の携帯型電子機器。
【請求項１７】
前記スライド機構は、前記蓋部の背部に設けられた一対のガイドレールと、該一対のガイドレールに沿ってそれぞれ摺動する一対のスライダとを備え、さらに該スライダを所定の位置に保持する保持手段を備えることを特徴とする請求項１５に記載の携帯型電子機器。
【請求項１８】
前記保持手段は、前記一対のガイドレールの少なくとも一方に所定間隔毎に形成された窪みと、前記スライダ内に設けられたディテントボールとからなることを特徴とする請求項１７に記載の携帯型電子機器。
【請求項１９】
前記蓋部の下縁部が前記係止手段により係止された際に作動する切替えスイッチを有することを特徴とする請求項１５に記載の携帯型電子機器。
【請求項２０】
前記蓋部は背部に形成された略矩形状のポケットを有し、前記アーム部は該ポケットに収容可能であることを特徴とする請求項１４に記載の携帯型電子機器。
【請求項２１】
前記係止手段は、前記本体部の前端側上部の両側に形成されたスロット内に所定角度回動可能に設けられ、端部にボールソケットを有する係止金具からなり、前記蓋部の下縁部に形成されたスロット内に設けられたディテントボールが該ボールソケットに係合可能であることを特徴とする請求項１４に記載の携帯型電子機器。
【発明の詳細な説明】
【技術分野】
【０００１】
本発明は、ノート型パーソナルコンピュータ、ＰＤＡ機器および携帯型ＤＶＤ表示機をはじめとする携帯型電子機器に関し、より詳しくは、携帯型電子機器に装備され表示ユニットが嵌め込まれた蓋部の高さ、角度ないしは位置を機器の本体に対して調整可能とした携帯型電子機器に関するものである。
【背景技術】
【０００２】
従来の一般的なノート型パーソナルコンピュータ等の情報処理装置は、本体上面にキーボードが配置され、本体部後端に配設されたヒンジを介して開閉動作可能な蓋部により前記キーボード部を覆うように構成されている。ところで、このような構成では、蓋部を回動させて角度を調整することで表示ユニットの画面を見易い角度に調整することはできるが、それ以外に表示ユニットの画面の高さや、位置、角度等を変更することは不可能である。その結果、蓋部に配設された表示ユニットを視る通常の作業時には、首を前傾させた姿勢等を長時間維持せざるを得ず、肩凝り等の疲労の原因となっている。
【０００３】
そこで、かかる問題を解消すべく、例えば、特許文献１には、本体部の一端にヒンジ部材を介して開閉動可能に支持された外部カバーの内側に可動スライダが摺動可能に設けられ、該可動スライダに内部カバーのディスプレイ部の下端が回動可能に支持されるように構成することで、ディスプレイ部の高さと角度とを変更可能にした技術が開示されている。
【０００４】
また、特許文献２には、特許文献１における設置スペース上の問題を解消し、飛行機等のような前席の背もたれ部の影響を受けることなく、表示部の高さや角度の調整を可能とする技術が開示されている。より具体的に述べると、本体部の後端に開閉動可能に軸支された蓋体内の両側に、ガイド溝が形成されたフレームが配置され、さらに、表示部の高さ方向中間位置にヒンジ部が設けられ、該ヒンジ部が上記フレームのガイド溝に案内されて高さ方向に移動可能なスライド板に取付けられている。これにより、ヒンジ部がフレームよりも高く位置されるのを可能にし、スペースに制約がある場合でも表示部の高さや角度の調整を可能としている。
【０００５】
【特許文献１】特開平１０−３２６１２１号公報
【特許文献２】特開２００２−２３６５０号公報
【発明の開示】
【発明が解決しようとする課題】
【０００６】
しかしながら、上記特許文献１および２に開示の技術では、ディスプレイ部もしくは表示部の高さと角度とが変更可能ではあるものの、いずれにおいても、本体部の後端に開閉動可能に軸支された外部カバーもしくは蓋体と、ディスプレイ部もしくは表示部とを別体に構成していることから、構造が複雑となり、しかも、その使用状態における外観上の美観が損なわれ、好ましいものとは云えなかった。さらに、表示部の前後方向の可動範囲が小さく、表示部をキーボード部より前に位置させた状態で、通常の視聴角度に調整することは不可能であった。
【０００７】
また、最近における、従来の文字表示主体から映像画面や音声を出力するマルチメディア・ステーションとしてのパーソナルコンピュータの普及とともに、ノート型パーソナルコンピュータ等の携帯型電子機器においても、ＴＶ等の映像の視聴やテレビゲームの遊戯が可能となってきている。このように、ノート型パーソナルコンピュータ等の携帯型電子機器をＴＶ等の映像の視聴のために用いる場合には、キーボードに替わって、リモコンやテレビゲームのコントローラ等で操作することになるので、表示ユニットが通常のＴＶ装置と同様の形、つまりキーボードの見えない状態に変更されることが望ましくなって来ている。
【０００８】
そこで、本発明の第一の目的は、簡単な構造で表示部の高さや角度を調整した使用状態における外観上の美観が損なわれることのない携帯型電子機器を提供することにあり、さらなる目的は、ＴＶ等の映像の視聴の際にも、通常のＴＶ装置と違和感のない携帯型電子機器を提供することにある。
【課題を解決するための手段】
【０００９】
上記目的を達成する本発明の一形態に係る携帯型電子機器は、本体部と、表示ユニットが嵌め込まれ前記本体部を覆う蓋部と、一端が前記本体部の後端部に回動可能に軸支されると共に、前記蓋部を回動可能且つ高さ位置調整可能に支持するアーム部と、を備えることを特徴とする。
ここで、前記アーム部は伸縮自在であってもよい。
【００１０】
ここで、上記携帯型電子機器の前記本体部は、さらに、その前端側上部に前記蓋部の下縁部を係止する係止手段を備えることが好ましい。
【００１１】
なお、前記アーム部は、前記蓋部が前記本体部を覆うとき、両者を平行にするための逃げ部を有することが好ましい。
【００１２】
さらに、前記アーム部は、スライド機構とアーム部の伸長方向へは弱抵抗で短縮方向へは制動する一方向制動機構とを有することが好ましい。
【００１３】
また、前記アーム部は、前記本体部と前記表示ユニットとを接続するケーブルを収容すると共に、該ケーブルの巻上げ機構を有してもよい。
【００１４】
なお、前記アーム部は、前記本体部側の第１アーム部と前記蓋部側の第２アーム部とからなり、前記スライド機構は、第１アーム部と第２アーム部とのいずれか一方に取付けられたラックと、第１アーム部と第２アーム部とのいずれか他方に回転可能に取付けられ、該ラックに噛合うピニオンとを備え、前記アーム部の伸長方向へは弱抵抗で短縮方向へは制動する一方向制動機構が該ピニオンによって駆動されるものであってもよい。
【００１５】
ここで、前記ケーブルの巻上げ機構が、前記ピニオンによって駆動されてもよい。
さらに、前記スライド機構が、電動モータにより駆動されてもよい。
【００１６】
また、前記蓋部の下縁部が係止手段により係止された際に作動する切替えスイッチを有してもよい。
【００１７】
さらに、前記蓋部は背部に形成された略矩形状のポケットを有し、前記伸縮自在なアーム部は前記本体部側の第１アーム部と前記蓋部側の第２アーム部とからなり、該第１アーム部が第２アーム部内に入れ子式に収容可能であり、且つ、該第２アーム部が前記ポケットに収容可能であることが好ましい。
【００１８】
なお、前記アーム部は、その他端が前記蓋部の背部に摺動可能に設けられたスライド機構を介して回動可能に軸支されていてもよい。
【００１９】
また、前記スライド機構は、前記蓋部の背部に設けられた一対のガイドレールと、該一対のガイドレールに沿ってそれぞれ摺動する一対のスライダとを備え、さらに該スライダを所定の位置に保持する保持手段を備えてもよい。
【００２０】
ここで、前記保持手段は、前記一対のガイドレールの少なくとも一方に所定間隔毎に形成された窪みと、前記スライダ内に設けられたディテントボールとからなることが好ましい。
【発明の効果】
【００２１】
上記本発明の一形態によれば、本体部と、表示ユニットが嵌め込まれ前記本体部を覆う蓋部と、一端が前記本体部の後端部に回動可能に軸支されると共に、前記蓋部を回動可能且つ高さ位置調整可能に支持するアーム部とを備えるので、表示ユニットが嵌め込まれた蓋部を操作するのみで、表示ユニットの高さや角度を見易い位置に調節でき、その際の外観上の美観が損なわれることがない。特に、前記蓋部の下縁部が前記本体部の前端側上部に位置された状態において、表示ユニットを前記本体部に対してほぼ垂直または垂直に近い角度に屹立させることが可能である。
【００２２】
ここで、前記本体部が、さらに、その前端側上部に前記蓋部の下縁部を係止する係止手段を備える形態によれば、その係止時に表示ユニットが嵌め込まれた蓋部によって本体部の上面が隠されると共に表示ユニットを前記本体部に対してほぼ垂直または垂直に近い角度に屹立させることが可能であるので、通常のＴＶ装置と違和感のない携帯型電子機器とすることができる。
【００２３】
なお、前記アーム部が、前記蓋部が前記本体部を覆うとき、両者を平行にするための逃げ部を有する形態によれば、携帯型電子機器の不使用時において、通常の携帯型電子機器と違和感のないものとすることができる。
【００２４】
さらに、前記アーム部が伸縮自在で、スライド機構とアーム部の伸長方向へは弱抵抗で短縮方向へは制動する一方向制動機構とを有する形態によれば、表示ユニットが嵌め込まれた蓋部の高さを上げる操作のときに余分な力を必要とすることなく行うことができ、その高さ位置に表示ユニットを容易に保持することができる。
【００２５】
また、前記アーム部が、前記本体部と前記表示ユニットとを接続するケーブルを収容すると共に、該ケーブルの巻上げ機構を有する形態によれば、外観上の美観が損なわれることがないと共に、ケーブルの絡みが防止される。
【００２６】
なお、前記アーム部が、前記本体部側の第１アーム部と前記蓋部側の第２アーム部とからなり、前記スライド機構は、第１アーム部と第２アーム部とのいずれか一方に取付けられたラックと、第１アーム部と第２アーム部とのいずれか他方に回転可能に取付けられ、該ラックに噛合うピニオンとを備え、前記アーム部の伸長方向へは弱抵抗で短縮方向へは制動する一方向制動機構が該ピニオンによって駆動される形態によれば、アーム部およびスライド機構が簡単な構造で構成できると共に、一方向制動機構の駆動が容易である。
【００２７】
ここで、前記ケーブルの巻上げ機構が、前記ピニオンによって駆動される形態によれば、ケーブルの巻上げ機構用に別の駆動手段を必要とせず、構造の簡略化が図れる。
【００２８】
さらに、前記スライド機構が、電動モータにより駆動される形態によれば、表示ユニットの高さ調整を容易に行わせることができる。
【００２９】
また、前記蓋部の下縁部が係止手段により係止された際に作動する切替えスイッチを有する形態によれば、使用勝手に優れる。
【００３０】
さらに、前記アーム部が、その他端が前記蓋部の背部に摺動可能に設けられたスライド機構を介して回動可能に軸支された形態によれば、表示ユニットの高さや角度を見易い位置に調節する機構が簡単な構成で実現できる。
【発明を実施するための最良の形態】
【００３１】
以下、添付図面を参照して本発明の実施の形態を説明する。まず、第一の実施の形態として、本発明をノート型パーソナルコンピュータ（以下、ノート型ＰＣと称す）１０に適用した例につき図１ないし図１２を参照して説明する。なお、以下の説明において、上下の位置関係や左右の方向を指すときは、本体部に対し蓋部が開けられた状態を基準とし、表示ユニットが操作者に向かう側を前方とする。そこで、図において、本実施の形態に係るノート型ＰＣ１０は、本体部１００と、表示ユニットが嵌め込まれ本体部１００を覆う蓋部２００と、一端が本体部１００の後端部に回動可能に軸支されると共に、他端が蓋部２００の背部に回動可能に軸支された、伸縮自在なアーム部３００とを備えている。
【００３２】
本体部１００は、その上面にキーボード１１０が配設されており、内部には、ＣＰＵ、メモリー、周辺コントローラ・チップ等が実装されたシステム・ボードや、ＴＶチューナー、ハードディスクドライブ（ＨＤＤ）、ＣＤ−ＲＯＭドライブやＤＶＤドライブ等の記憶装置を含む各周辺機器類が収容されている。
【００３３】
本体部１００を覆う蓋部２００は、それが開けられた状態を示す図３等から明らかなように、液晶ディスプレイ等からなる表示ユニット２１０が前方側に嵌め込まれている。そして、蓋部２００の背部の中央部には、下縁部から中間部上方にかけて、アーム部３００を収容する略矩形状のポケット２２０が形成されている。
【００３４】
伸縮自在なアーム部３００は、その一端が本体部１００の後端部において後述するヒンジ機構Ｈ１により回動可能に軸支されると共に、その他端が蓋部２００の背部のポケット２２０の上端部においてヒンジ機構Ｈ２により回動可能に軸支されている。そして、アーム部３００は、本実施の形態においては、本体部１００側の第１アーム部３１０と蓋部２００側の第２アーム部３２０とからなり、第１アーム部３１０が第２アーム部３２０のカバー部材３２２内に入れ子式に収容されることにより、伸縮自在とされている。
【００３５】
なお、第１アーム部３１０には、図１および２に示すように、ノート型ＰＣ１０の不使用時において蓋部２００が本体部１００を覆うとき、両者を平行にするために、逃げ部３１２が設けられている。本実施の形態では、該逃げ部３１２は折曲部として形成されている（図６参照）。
【００３６】
ここで、まず、本体部１００の前端側上部に形成された係止手段１２０について、図３（Ａ）、図３（Ｂ）、図６および図１２を主に参照して説明する。本実施の形態では、係止手段１２０は本体部１００の前端側上部の両側に設けられており、上側から視て中央部に膨らみを有するスロット１２２内に、係止金具１２４が所定角度回動可能にピン１２６により支持されて構成されている。係止金具１２４の一端側にはスロット１２２の底面に形成された断面扇形の案内溝１２３に挿入された突起１２５が形成されており、この断面扇形の案内溝１２３の両端に突起１２５が当接することにより、係止金具１２４の回動角度が制限されるようになっている。すなわち、係止金具１２４は、その不使用状態においては、図３（Ａ）および図６に示すように、本体部１００の上面とほぼ面一となるように保持されており、使用時においては、図１２に示すように、扇形の案内溝１２３に制限された所定角度（ほぼ９０度）回動して立上るように構成されている。そして、この立上る係止金具１２４の他端側には球状の窪みを有するボールソケット１２７が設けられている。
【００３７】
一方、表示ユニット２１０が嵌め込まれた蓋部２００の下縁部には、上述の係止手段１２０に対応する関係で、係合手段２３０が設けられている。本実施の形態では、蓋部２００の下縁前方部にスロット２３２が形成され、そして、該スロット２３２内の側壁の一方にディテントボール２３４がスプリング２３６に付勢されて出没自在に設けられている。
【００３８】
次に、前記伸縮自在なアーム部３００におけるスライド機構について、図６、図７、図８（Ａ）、図８（Ｂ）および図９（Ｂ）を主に参照して説明する。本実施の形態では、前述のように、折曲部として逃げ部３１２が形成された第１アーム部３１０は、基本的構造として、鋼板製の平坦なベースプレート３１４とこれに取付けられたアルミダイキャスト製の断面コ字状のカバー部材３１６により中空に形成されている。なお、第１アーム部３１０のカバー部材３１６は、上記折曲部を境にして厚みを異ならせて形成されており、第１アーム部３１０が第２アーム部３２０のカバー部材３２２内に入れ子式に収容されたときに段差が生じないようにされている。
【００３９】
一方、第２アーム部３２０においては、前述のカバー部材３２２がアルミダイキャスト製のロ字状フレーム板３２４に取付けられており、同時に、該フレーム板３２４にはラック３２６および左ガイドレール３２８Ｌと右ガイドレール３２８Ｒとがそれぞれ平行に取付けられている。そして、この左ガイドレール３２８Ｌと右ガイドレール３２８Ｒとは、樹脂等によりフレーム板３２４を前後に挟む形態で断面コ字状に形成され、上述の第１アーム部３１０の断面コ字状カバー部材３１６とベースプレート３１４とで対向する両側壁に沿って形成される左右のガイド溝にそれぞれ摺動可能に保持されている（但し、図９（Ｂ）には、断面位置が異なるので、右側のガイド溝は図示されていない）。なお、第１アーム部３１０の薄く形成された部位のカバー部材３１６は、第２アーム部３２０のカバー部材３２２内に入れ子式に進入するように構成されている。
【００４０】
さらに、第１アーム部３１０においては、カバー部材３１６に対し、該ラック３２６に噛合うピニオン３１８が回転可能に取付けられている。そして、該ピニオン３１８の回転軸がベースプレート３１４に取付けられた一方向制動機構３４０への入力軸とされている。一方向制動機構３４０は、複数の摩擦板等を用いて構成され、一方向の回転に対しては無または弱抵抗で、逆方向の回転に対しては制動機能を有するものであり、ピニオン３１８によって駆動される。そこで、ラック３２６とピニオン３１８との噛合いによるピニオン３１８の回転方向が、アーム部３００の伸長方向へは弱抵抗で、短縮方向へは制動する機能を有するように設定されている。なお、この一方向制動機構３４０はユニットとして市販品を用いることが可能である。
【００４１】
また、上記アーム部３００の中空部には、本体部１００と表示ユニット２１０とを接続する電源用や信号用のケーブル３５０が収容されており、本実施の形態においては、該ケーブル３５０の弛みを減少させるための巻上げ機構３６０が同じくカバー部材３１６に取付けられている（図７参照）。この巻上げ機構３６０は詳細には示さないが巻上げドラムを有し、上述のピニオン３１８に噛合うギア３６２によって該巻上げドラムが駆動されるように構成されている。この実施の形態によれば、ケーブル３５０が収容されることにより、外観上の美観が損なわれることがないと共に、ケーブル３５０の絡み等が防止される。
【００４２】
さらに、図８、図９（Ａ）および図９（Ｃ）を主に参照して、伸縮自在なアーム部３００の第１アーム部３１０と本体部１００の後端部とを回動可能に連結するヒンジ機構Ｈ１、および第２アーム３２０と蓋部２００の背部とを回動可能に連結するヒンジ機構Ｈ２について説明する。
【００４３】
まず、ヒンジ機構Ｈ１およびヒンジ機構Ｈ２は、それぞれ構成要素として、第１取付けブラケットＨＢ１が固着された頭部を有するヒンジ軸ＨＳ、ヒンジ軸ＨＳが挿通されその軸線回りに回動可能な第２取付けブラケットＨＢ２、第２取付けブラケットＨＢ２に対して摩擦材を押圧するためのバネＨＳＰおよび摩擦力を調整可能とするためヒンジ軸ＨＳに螺合されたナットＨＮとを共通に有している。そして、ヒンジ機構Ｈ１においては、第１取付けブラケットＨＢ１が第１アーム部３１０のベースプレート３１４にネジ等により取付けられ、第２取付けブラケットＨＢ２が本体部１００に固定される取付けプレート３１３に取付けられている。一方、ヒンジ機構Ｈ２においては、第１取付けブラケットＨＢ１が第２アーム３２０のフレーム板３２４に取付けられ、第２取付けブラケットＨＢ２が蓋部２００の背部ポケット２２０の底面に固定される取付けプレート３２３に取付けられている。
【００４４】
かくて、本体部１００とアーム部３００との間はヒンジ機構Ｈ１により、また、アーム部３００と蓋部２００との間はヒンジ機構Ｈ２により、摩擦力を調整することによって、軽い角度調整とその角度の保持が実現されている。
【００４５】
上記構成になる本発明の第一の実施形態においては、図１および２に示す蓋部２００が閉じられた状態から、蓋部２００が図３（Ａ）に示す状態に開けられるときには、適度な摩擦力に調整されたヒンジ機構Ｈ１を介して、アーム部３００が蓋部２００と共に回動される。そして、この状態から表示ユニット２１０の位置を高い位置に調節するためには、単に、蓋部２００を掴んで持ち上げればよい。すると、図６に示すようにアーム部３００が伸長して、蓋部２００の位置が本体部１００の後縁部より離れて、図４、５および６に示されるように高くなる。このアーム部３００の伸長時においては、前述のように、ラック３２６に噛合うピニオン３１８により作動される一方向制動機構３４０は無または弱抵抗であるから、容易に蓋部２００、延いては表示ユニット２１０を所望の高さに位置させることができる。
【００４６】
なお、この所望の位置で蓋部２００を離せば、蓋部２００の自重によりラック３２６に噛合うピニオン３１８が逆転しようとするが、一方向制動機構３４０は、この逆方向の回転に対しては制動機能を有するものであり、蓋部２００の自重による力程度では蓋部２００は移動することはできず、上述の所望の高さ位置に確実に保持されるのである。
【００４７】
また、図６に想像線で示すように、上述の所望の高さ位置において、蓋部２００の角度はヒンジ機構Ｈ２により自由に変えることができる。同時に、ヒンジ機構Ｈ１をも併用することにより、多様な角度に、蓋部２００、延いては表示ユニット２１０を位置させることが可能である。なお、この多様な位置でも適度な摩擦力を有するヒンジ機構Ｈ１およびヒンジ機構Ｈ２により、蓋部２００は確実に保持され得ることは云うまでもない。
【００４８】
さらに、上述の蓋部２００の多様な位置の一つとして、図１０、１１および１２に示す通常のＴＶ装置と違和感のない形態に、蓋部２００を位置させる際の操作について説明する。この場合には、上述したようなアーム部３００を伸長させた状態で、係止手段１２０のスロット１２２からその中央部の膨らみを利用して係止金具１２４を指で掴んで引き起こす。そして、立ち上げられた係止金具１２４の先端部が、蓋部２００の下縁部に形成されたスロット２３２に進入するように、蓋部２００を移動させるのである。すると、回動角度が制限された係止金具１２４の先端のボールソケット１２７に対し、スプリング２３６に付勢されている出没自在のディテントボール２３４が係合し、蓋部２００の下縁部が係止される。この状態では、表示ユニット２１０が嵌め込まれた蓋部２００によって本体部１００の上面が隠されるので、キーボード１１０等の視界に余分な部分が目に入らず、通常のＴＶ装置と違和感のないノート型ＰＣとすることができる。なお、この蓋部２００の下縁部が係止された状態で、この下縁部のディテントボール２３４とボールソケット１２７との係合部を中心として、アーム部３００の長さや、ヒンジ機構Ｈ１、Ｈ２の角度を調節することにより、表示ユニット２１０の傾斜角度を自由に設定することができる。すなわち、表示ユニット２１０を本体部１００に対してほぼ垂直または垂直に近い角度に屹立させることができ、通常のＴＶ装置と違和感のない形態を得ることができる。
【００４９】
なお、上述したアーム部３００におけるスライド機構をステップモータ等の電動モータにより駆動するようにしてもよい。この場合には、上述の一方向制動機構３４０に替えて電動モータを設け、ピニオン３１８を直接に駆動するようにすればよい。そして、制御指令によって電動モータを制御して、視認しながら好みの高さに蓋部２００、延いては表示ユニット２１０を選択して設定することができる。
【００５０】
次に、本発明の第二の実施形態につき、図１４ないし図１６を参照して説明する。上述の第一の実施の形態に係るノート型ＰＣ１０は、本体部１００と、表示ユニットが嵌め込まれ本体部１００を覆う蓋部２００と、一端が本体部１００の後端部に回動可能に軸支されると共に、他端が蓋部２００の背部に回動可能に軸支された、伸縮自在なアーム部３００とを備えて構成されているのに対し、この第二の実施形態におけるノート型ＰＣ１０は、本体部１００と、表示ユニットが嵌め込まれ本体部１００を覆う蓋部２００と、一端が本体部１００の後端部に回動可能に軸支されると共に、他端が蓋部２００の背部に摺動可能に設けられたスライド機構５００を介して回動可能に軸支されたアーム部４００とを備えて構成されている。従って、以下の第二の実施形態についての説明においては、上述の第一の実施の形態と異なる構成について説明し、第一の実施形態の部位と同一機能部位には同一符号を付し、重複説明を避ける。なお、以下の説明においても、上下の位置関係や左右方向を指すときは、前実施の形態の説明と同様に、本体部に対し蓋部が開けられた状態を基準とし、表示ユニットが操作者に向かう側を前方とする。
【００５１】
不使用時に本体部１００を覆う蓋部２００は、液晶ディスプレイ等からなる表示ユニット２１０が前方側に嵌め込まれていること前述の通りであり、蓋部２００が開けられた状態が図１４に示されている。そして、第二の実施形態においては、この蓋部２００の背面中央部にスライド機構５００が配置されている。スライド機構５００は、蓋部２００の背面に埋め込まれて取付けられた断面略ハット状のベースプレート５１０と、その左右の縁部５１０Ｌおよび５１０Ｒに接合され、断面コ字状の左右のガイドレールを構成する左右のレール部材５２０Ｌおよび５２０Ｒと、該左右のガイドレールに摺動自在に嵌め込まれた樹脂製の左右のスライダ５３０Ｌおよび５３０Ｒとから構成されている。なお、この直方体状のスライダ５３０Ｌ、５３０Ｒの一面には板ばね等が一体成形により一体に、または別体に付設され、レール部材５２０Ｌ、５２０Ｒとの摺動面に適度な摩擦力を付与するようにされている。
【００５２】
一方、アーム部４００は、その一端が本体部１００の後端部において前述のヒンジ機構Ｈ１により回動可能に軸支されると共に、その他端がヒンジ機構Ｈ１と同様な構成のヒンジ機構Ｈ３により上述のスライド機構５００の左右のスライダ５３０Ｌおよび５３０Ｒに回動可能に軸支されている。なお、アーム部４００には、図１および２に示すように、ノート型ＰＣ１０の不使用時において蓋部２００が本体部１００を覆うとき、両者を平行にするために、前実施の形態と同様に折曲部として形成されている逃げ部４１２が設けられている（図１５参照）。
【００５３】
さらに、上述のスライド機構５００は、左右のスライダ５３０Ｌおよび５３０Ｒの少なくとも一方を所定の位置に保持する保持手段を備えており、この保持手段は、ディテント機構により構成されている。詳しくは、左右一対のガイドレールを形成している左右のレール部材５２０Ｌおよび５２０Ｒの少なくとも一方の底部に所定間隔毎に窪みまたは孔５２２Ｌおよび５２２Ｒが形成されている。一方、左右のスライダ５３０Ｌおよび５３０Ｒには案内孔５３２Ｌおよび５３２Ｒが形成され、この案内孔５３２Ｌ、５３２Ｒ内にディテントボール付スライドピン５３４Ｌ、５３４Ｒがスプリング５３６Ｌ、５３６Ｒに付勢されて出没自在に、それぞれ、設けられている。
【００５４】
上記構成になる本発明の第二の実施形態においても、図１および２に示す蓋部２００が閉じられた状態から、蓋部２００が図３（Ａ）に示す状態に開けられるときには、適度な摩擦力に調整されたヒンジ機構Ｈ１を介して、アーム部４００が蓋部２００と共に回動される。そして、この状態から表示ユニット２１０の位置を高い位置に調節するためには、単に、蓋部２００を掴んで持ち上げればよい。すると、図１４に示すようにアーム部４００の端部で支持されているスライダ５３０Ｌ、５３０Ｒが左右のガイドレールに案内されて、蓋部２００の位置が本体部１００の後縁部より離れて高くなる。この蓋部２００の高さ位置を調節するときは、スライダ５３０Ｌ、５３０Ｒとレール部材５２０Ｌ、５２０Ｒとの摺動面に付与された適度な摩擦力により、がたつくことなく蓋部２００、延いては表示ユニット２１０を所定の高さに位置させることができる。
【００５５】
なお、この所定の位置では、スライダ５３０Ｌ、５３０Ｒに形成された案内孔５３２Ｌ、５３２Ｒにスプリング５３６Ｌ、５３６Ｒに付勢されて出没自在に設けられたディテントボール付スライドピン５３４Ｌ、５３４Ｒがレール部材５２０Ｌ、５２０Ｒに所定間隔毎に形成された孔５２２Ｌ、５２２Ｒのいずれか一つに係合し、蓋部２００の移動を阻止する。上述の操作を他の孔５２２Ｌ、５２２Ｒに対して行なうことで、蓋部２００、延いては表示ユニット２１０が所定の高さ位置に確実に保持され得る。
【００５６】
また、図１６に想像線で示すように、上述の所望の高さ位置において、蓋部２００の角度はヒンジ機構Ｈ３により自由に変えることができる。同時に、前実施の形態と同様に、ヒンジ機構Ｈ１をも併用することにより、多様な角度に、蓋部２００、延いては表示ユニット２１０を位置させることが可能である。なお、この多様な位置でも適度な摩擦力を有するヒンジ機構Ｈ１およびヒンジ機構Ｈ３により、蓋部２００は確実に保持され得ることは云うまでもない。
【００５７】
以上、本発明をノート型ＰＣに適用した実施の形態について説明したが、本発明は上記実施の形態に限られることなく、他の携帯型電子機器にも適用できることは云うまでもなく、例えば、図１３に示すような携帯型ＤＶＤ表示機５００であってもよい。この携帯型ＤＶＤ表示機５００は、ノート型ＰＣのキーボードの代わりに、ビデオ等の再生のために必要なキー５１０のみを有した映像再生装置である。この再生装置も、持ち運び時はノート型ＰＣと同様に折り畳まれ、視聴時は、図１３に示すように、表示ユニット２１０が嵌め込まれた蓋部２００を前方下縁部で係止し、その角度を調整することができる。この調整によって、見易く疲れない姿勢で映像の再生を楽しむことができる。
【００５８】
また、上述したノート型ＰＣの実施形態において、蓋部２００の下縁部のディテントボール２３４と本体部１００のボールソケット１２７との係合によって作動する切替えスイッチを設けることによって、表示をＰＣモニター画面からＴＶ画面に自動的に切替えるように構成してもよい。これで操作をより簡単にすることができる。
【図面の簡単な説明】
【００５９】
【図１】本発明の第一の実施形態に係るノート型パーソナルコンピュータの蓋を閉じた状態を示す斜視図である。
【図２】本発明の第一の実施形態に係るノート型パーソナルコンピュータの蓋を閉じた状態を示す一部断面側面図である。
【図３】（Ａ）は、本発明の一実施形態に係るノート型パーソナルコンピュータの蓋を開けた状態を示す前方斜視図であり、（Ｂ）は、蓋の下縁部に形成された係合部を透視的に示す斜視図である。
【図４】本発明の第一の実施形態に係るノート型パーソナルコンピュータの蓋を開け、アーム部を伸長させた状態を示す前方斜視図である。
【図５】図４と同じ状態を示す後方斜視図である。
【図６】図４と同じ状態を示す一部断面側面図である。
【図７】アーム部を示す前方斜視図である。
【図８】同じくアーム部を示し（Ａ）は透視的に示す側面図、（Ｂ）は一部破断背面図である。
【図９】（Ａ）は、図８（Ｂ）のａ−ａ線断面図、（Ｂ）は、同ｂ−ｂ線断面図、（Ｃ）は、同ｃ−ｃ線断面図である。
【図１０】本発明の第一の実施形態に係るノート型パーソナルコンピュータの蓋の下縁部を本体部の前端側上部に係止した状態を示す前方斜視図である。
【図１１】本発明の第一の実施形態に係るノート型パーソナルコンピュータの蓋の下縁部を本体部の前端側上部に係止した状態を示す後方斜視図である。
【図１２】図１０および図１１と同じ状態を示す一部断面側面図である。
【図１３】本発明の他の実施形態に係る携帯型ＤＶＤ表示機の蓋の下縁部を本体部の前端側上部に係止した状態を示す前方斜視図である。
【図１４】本発明の第二の実施形態に係るノート型パーソナルコンピュータの蓋を開け、蓋部を上方に持ち上げた状態を示す後方斜視図であり、蓋部の背面が一部破断されている。
【図１５】（Ａ）は、本発明の第二の実施形態に係るアーム部を示す前方斜視図であり、（Ｂ）はその一部の拡大断面図である。
【図１６】図１４と同じ状態を示す一部断面側面図である。
【符号の説明】
【００６０】
１００    本体部
１１０    キーボード
１２０    係止手段
１２２    スロット
１２３    案内溝
１２４    係止金具
１２５    突起
１２６    ピン
１２７    ボールソケット
２００    蓋部
２１０    表示ユニット
２２０    ポケット
２３０    係合手段
２３２    スロット
２３４    ディテントボール
２３６    スプリング
３００    アーム部
３１０    第１アーム部
３１２    逃げ部
３１４    ベースプレート
３１６    カバー部材
３１７Ｌ    左ガイド溝
３１７Ｒ    右ガイド溝
３１８    ピニオン
３２０    第２アーム部
３２２    カバー部材
３２３    取付けプレート
３２４    フレーム板
３２６    ラック
３２８Ｌ    左ガイドレール
３２８Ｒ    右ガイドレール
３４０    一方向制動機構
Ｈ１、Ｈ２    ヒンジ機構
ＨＢ１    第１取付けブラケット
ＨＳ    ヒンジ軸
ＨＢ２    第２取付けブラケット
ＨＳＰ    バネ
ＨＮ    ナット
４００    アーム部
４１２    逃げ部
５００    スライド機構
５１０    ベースプレート
５１０Ｌ、５１０Ｌ    左右の縁部
５２０Ｌ、５２０Ｒ    左右のレール部材
５３０Ｌ、５３０Ｒ    左右のスライダ
５２２Ｌ、５２２Ｒ    窪み（孔）
５３２Ｌ、５３２Ｒ    案内孔
５３４Ｌ、５３４Ｒ    ディテントボール付スライドピン
５３６Ｌ、５３６Ｒ    スプリング
【図１】
2005209156.tif 000003
【図２】
2005209156.tif 000004
【図３】
2005209156.tif 000005
【図４】
2005209156.tif 000006
【図５】
2005209156.tif 000007
【図６】
2005209156.tif 000008
【図７】
2005209156.tif 000009
【図８】
2005209156.tif 000010
【図９】
2005209156.tif 000011
【図１０】
2005209156.tif 000012
【図１１】
2005209156.tif 000013
【図１２】
2005209156.tif 000014
【図１３】
2005209156.tif 000015
【図１４】
2005209156.tif 000016
【図１５】
2005209156.tif 000017
【図１６】
2005209156.tif 000018